(57)【要約】【課題】多層構成の光記録媒体では、光照射側の第１面と当該第１面に積層した第２面とでは光照射強度が異なり、記録再生特性が異なる。【解決手段】記録層が設けられた光シートを複数積み重ねた光シート群１と、記録あるいは再生する光シート１ｄに光が照射される側に積み重ねられた光シート１ｅ及び１ｆ全部を、光シート１ｄの記録面に沿った方向に移動させる光シート移動手段１１と、光シート群１全体を移送する移送手段１２と、光シート記録層に光ビームを絞り込み、記録層に対する記録再生、フォーカス、トラッキング制御を行う光ヘッド３と、光ヘッド３を回転させる光ヘッド回転モータ７で構成される。【選択図】図１Ｂ
2006228301.tif 000002
【特許請求の範囲】
【請求項１】
記録層が設けられた光シートを複数積み重ねた光記録媒体に記録あるいは再生する方法であって、
前記記録あるいは再生する対象の光シートを、光が照射される側に積み重ねられた前記光シート全部を、前記光シート面に沿った方向に移動し、記録あるいは再生を行う光記録再生方法。
【請求項２】
記録層が設けられた光シートを複数積み重ねた光シート群と、
前記光シート群の内記録あるいは再生対象の光シートの光が照射される側に積み重ねられた光シート全部を当該光シート面に沿った方向に移動させる光シート移動手段と、光シート群全体を移送する移送手段と、
前記光シート面に光ビームを絞り込み、当該光シートが備える記録層に対する記録再生、フォーカス、トラッキング制御を行う光ヘッドと、
前記光ヘッドを回転させる光ヘッド回転モータとを備える記録再生装置。
【発明の詳細な説明】
【技術分野】
【０００１】
本発明は光ディスク記録媒体に、光学的に情報を記録または再生する光記録再生装置の高密度化に関するものである。
【背景技術】
【０００２】
光ディスク装置においては、短波長化、狭トラック化によって高密度化が図られてきている。このような記録面内の密度向上に加えて、記録面数を多数設けることができれば、さらなる記録密度の向上が実現できる。
【０００３】
これを実現するものとして記録層を積み重ねる多層光ディスクが特許文献１で提案されている。特許文献１に開示されている多層光ディスク２０の構成及び記録再生原理を図３に示す。基材２４上に、光ビーム２６を反射する記録層２２ａ、２２ｂ及び２２ｃが、透明な中間層２３を介して交互に積層されて構成される。
【特許文献１】特開平２−３０１０２０号公報
【発明の開示】
【発明が解決しようとする課題】
【０００４】
しかしながら特許文献１で提案されている技術では、記録層２２ｂに対物レンズ２５によって絞り込まれた光ビーム２６の焦点を合わせて記録再生すると、光ビーム２６は記録層２２ｂより光ビーム２６の入射側にある記録層２２ａを必ず通過しなければならないので、記録層２２ａでの記録信号による吸収散乱を避けることができない。このため、記録層２２ｂに到達する光量が減少してしまう。さらに、信号光は記録層２２ｂで反射して対物レンズ２５側に戻るときも同様な吸収散乱を受け、光量が減少する。この様に、多層光ディスクでは、記録層通過時に光量減少が発生し、通過記録層の層数が増すほど、この光量減少が増すために、記録層２２の積層数には限界があり、それほど積層できるわけではない。
【０００５】
このように特許文献１に開示のような従来の多層光ディスクの構成では、記録層を透過する度に光ビームの吸収散乱が発生し、記録再生対象層に到達する光量が減衰すると言う問題がある。
【０００６】
本発明は係る従来の課題に鑑み、積層数を飛躍的に増加できる多層記録媒体を提供することを目的とする。
【課題を解決するための手段】
【０００７】
本発明の光記録再生方法は、記録層が設けられた光シートを複数積み重ねた光記録媒体に記録あるいは再生する方法であって、前記記録あるいは再生する対象の光シートを、光が照射される側に積み重ねられた前記光シート全部を、前記光シート面に沿った方向に移動し、記録あるいは再生を行う。
【０００８】
また、本発明の光記録再生装置では、記録層が設けられた光シートを複数積み重ねた光シート群と、前記光シート群の内記録あるいは再生対象の光シートの光が照射される側に積み重ねられた光シート全部を当該光シート面に沿った方向に移動させる光シート移動手段と、光シート群全体を移送する移送手段と、前記光シート面に光ビームを絞り込み、当該光シートが備える記録層に対する記録再生、フォーカス、トラッキング制御を行う光ヘッドと、前記光ヘッドを回転させる光ヘッド回転モータとを備える。
【発明の効果】
【０００９】
本発明の記録再生方法及び記録再生装置によれば、記録層が設けられた光シートを積み重ね、記録または再生しようとする光シートより上に積み重ねられた光シートは横に移動して、記録または再生しようとする光シートを最上面に配置した状態にすることにより、重ね合わせた光シートのすべてについて光シート面に照射する光ビームの吸収減衰、散乱を抑制でき、良好な記録再生を可能となしえ、体積当りの記録容量を１０倍１００倍と飛躍的に伸ばすことができる。
【発明を実施するための最良の形態】
【００１０】
まず、本発明の基本構成について、図１Ａに示した正面図及び図１Ｂに示した平面図を用いて説明する。図中、１は光シートであり、これに設けられた記録層に、対物レンズ４によって絞り込まれた光ビーム６が照射されて、記録、再生、消去がなされる。この点に関しては、周知の光ディスク装置と同様である。記録材料としては、Ｔｅ・Ｓｂ・Ｇｅ等を含んだ相変化材料、有機色素材料等、光ディスクで用いられる材料であれば、どの材料も使用可能である。
【００１１】
複数の光シート１は、積み重ねられてカートリッジ２に収納されているが、記録再生の際は、積み重ねられた光シートの最表面の光シート（図１Ｂの１ｄ）に対して行う。任意の光シートに対して記録再生するために、光シート１同士は、そのシート面に沿って（図１Ａ及び図１Ｂの左右方向）移動可能な構成となっている。任意の光シート１を最表面に持ってくる具体的構成の１例を次に説明する。
【００１２】
光シート１の端には図１Ａ、図１Ｂ及び図２に示すように突起８が設けられ、ホルダー９に設けられた溝９ｇの中を移動可能である。移動したい光シート１の突起８のみを、ホルダー９の図２中の左右（矢印）方向に動かすことにより挟み込む。図１Ｂでは、光シート１ｄに記録再生するために、光シート１ｅ、１ｆの突起８ｅ、８ｆを挟み込んでいる。この状態でホルダー９を図１Ａ及び図１Ｂにおける左方向に移動すれば、光シート１ｅ、１ｆがホルダー９と共に左方向に移動し、光シート１ｄの表面が露出し、記録再生する光シート１ｄの記録層に光ビームを絞り込む際、光シート１ｄの記録層を照射する光ビームの進行を妨げるものがなくなり、記録再生が可能となる。なお、１０は突起移動手段で、突起８を図２矢印方向に動かして、移動したい光シート１を選択する機能を果たすものであり、突起移動手段駆動ねじ１０ａを突起移動手段駆動モータ１０ｂで回転させることにより突起８が動く。
【００１３】
なお、１１は光シート移動手段であり、所望の光シートを移動して、記録再生する光シート１を最表面に露出する機能を有する。光シート移動手段駆動ねじ１１ａを光シート移動手段駆動モータ１１ｂで回転させることにより光シート１ｅ、１ｆが移動する。
【００１４】
また、３は光ヘッドであり、光ディスク装置に用いられるものと基本構成、機能は同様であり、光源の半導体レーザ、光検出器、フォーカス制御手段、トラッキング制御手段を有する。
【００１５】
７は光ヘッド回転モータであり、光ヘッド３は光ヘッド回転モータ７によって回転駆動される。
【００１６】
また、１２は移送手段であり、光シート１及びカートリッジ２が乗った光シート移動手段１１を移送する。移送手段駆動ねじ１２ａを移送手段駆動モータ１２ｂで回転させることにより、光シート移動手段１１は移送ガイド１２ｃに規制されて直線移動する。
【００１７】
また、１３は光シート１上の記録トラックであり、円弧形状をしている。光ヘッド３が回転して、対物レンズ４によって絞り込まれた光ビーム６がこの記録トラック上を走査する。なお、対物レンズ４はアクチェータ５により、図１Ｂの上下方法及び左右方向に移動することで、フォーカス制御及びトラッキング制御される。この点は周知の光ディスク装置と変わるところはない。
【００１８】
本発明では、光シート１全面を光ビーム６が走査するため、光ヘッド３を回転させ、移送手段１１で光シート１を動かしたが、光ヘッド３を固定し、光シート１を２次元で移送してもよいし、光ヘッド３、光シート１をそれぞれ直線移送してもよい。
【産業上の利用可能性】
【００１９】
本発明は、記録再生媒体の堆積当たりの容量を飛躍的に増加しながら、記録再生特性が常に維持できるため、映像音声信号等の大容量のユーザデータに適合できる記録再生装置を提供することがでいる。
【図面の簡単な説明】
【００２０】
【図１Ａ】本発明の記録再生装置における要部平面構成図
【図１Ｂ】同記録再生装置における要部側面構成図
【図２】本発明の記録媒体における移動構成を示す図
【図３】従来の多層光ディスク記録再生装置の要部構成図
【符号の説明】
【００２１】
１  光シート群
１ａ、１ｂ、１ｃ、１ｄ、１ｅ、１ｆ  光シート
３  光ヘッド
７  光ヘッド回転モータ
８  突起
９  ホルダー
９ｇ  溝
１１  光シート移動手段
１２  移送手段
【図１Ａ】
2006228301.tif 000003
【図１Ｂ】
2006228301.tif 000004
【図２】
2006228301.tif 000005
【図３】
2006228301.tif 000006